【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
第１の表示アイテムに重畳して第２の表示アイテムを表示部に表示させる表示制御手段と、
前記表示部に表示されている表示アイテムを選択する選択手段と、
表示アイテム同士が重畳しているか否かに応じて、表示アイテムの表示が開始されてから所定時間内での表示アイテムの選択操作を受け付けるか否かを制御する制御手段と、を有し、
前記制御手段は、前記第２の表示アイテムが表示される場合、前記第２の表示アイテムの表示が開始されてから所定時間内は、前記第２の表示アイテムの選択操作を受け付けないように制御することを特徴とする表示制御装置。
【請求項２】
指示部材が含まれていない表示アイテムに対しては、前記制御手段は、表示アイテムの表示が開始されてから所定時間内での表示アイテムの選択操作を受け付けるように制御することを特徴とする請求項１に記載の表示制御装置。
【請求項３】
前記制御手段は、前記所定時間の経過後には、前記第２の表示アイテムの選択操作を受け付けることを特徴とする請求項１または２に記載の表示制御装置。
【請求項４】
第１の表示アイテムに重畳して第２の表示アイテムを表示部に表示させる表示制御手段と、
前記表示部に表示されている表示アイテムを選択する選択手段と、
表示アイテム同士が重畳しているか否かに応じて、表示アイテムの表示が終了されてから所定時間内での表示アイテムの選択操作を受け付けるか否かを制御する制御手段と、を有し、
前記制御手段は、前記第２の表示アイテムが表示される場合、前記第１の表示アイテムに重畳して表示されている前記第２の表示アイテムを消去してから所定時間内は、前記第１の表示アイテムの選択操作を受け付けないように制御することを特徴とする表示制御装置。
【請求項５】
指示部材が含まれていない表示アイテムに対しては、前記制御手段は、表示アイテムの表示が消去されてから所定時間内での表示アイテムの選択操作を受け付けるように制御することを特徴とする請求項４に記載の表示制御装置。
【請求項６】
前記制御手段は、前記所定時間の経過後には、前記第１の表示アイテムの選択操作を受け付けることを特徴とする請求項４または５に記載の表示制御装置。
【請求項７】
前記表示アイテムには前記選択手段による選択がなされた場合に所定の動作の実行を指示する指示部材が含まれていることを特徴とする請求項１ないし６のいずれか１項に記載の表示制御装置。
【請求項８】
前記選択手段は、前記表示部に設けられているタッチパネルであることを特徴とする請求項１ないし７のいずれか１項に記載の表示制御装置。
【請求項９】
前記選択操作を受け付けないようにする領域を、前記第１の表示アイテムまたは前記第２の表示アイテムのサイズ及び位置により決定するタッチ操作領域決定手段をさらに有することを特徴とする請求項１ないし８のいずれか１項に記載の表示制御装置。
【請求項１０】
前記選択操作を受け付けないようにする前記所定時間を、前記第１の表示アイテムまたは前記第２の表示アイテムの種別により決定する時間決定手段をさらに有することを特徴とする請求項１ないし９のいずれか１項に記載の表示制御装置。
【請求項１１】
表示装置への表示内容を制御する表示制御手段と、
表示されている表示アイテムへの操作を行う操作を受け付ける受け付け手段とを有し、
前記表示制御手段は、前記表示装置に表示されている第１の表示アイテムの操作を受け付けている間は、前記第１の表示アイテムに第２の表示アイテムを重畳表示しないように制御することを特徴とする表示制御装置。
【請求項１２】
表示装置への表示内容を制御する表示制御手段と、
表示されている表示アイテムへの操作を行う操作を受け付ける受け付け手段とを有し、
前記表示制御手段は、前記表示装置に表示されている表示アイテムの操作を受け付けている間は、前記表示アイテムを消去しないように制御することを特徴とする表示制御装置。
【請求項１３】
前記表示装置にはタッチパネルが設けられており、
前記表示アイテムの操作を受け付けている間とは、前記タッチパネルへのタッチダウンからタッチアップまでであることを特徴とする請求項１１または１２に記載の表示制御装置。
【請求項１４】
第１の表示アイテムに重畳して第２の表示アイテムを表示部に表示させる表示制御工程と、
前記表示部に表示されている表示アイテムを選択する選択工程と、
表示アイテム同士が重畳しているか否かに応じて、表示アイテムの表示が開始されてから所定時間内での表示アイテムの選択操作を受け付けるか否かを制御する制御工程と、を有し、
前記制御工程では、前記第２の表示アイテムが表示される場合、前記第２の表示アイテムの表示が開始されてから所定時間内は、前記第２の表示アイテムの選択操作を受け付けないように制御することを特徴とする表示制御方法。
【請求項１５】
第１の表示アイテムに重畳して第２の表示アイテムを表示部に表示させる表示制御工程と、
前記表示部に表示されている表示アイテムを選択する選択工程と、
表示アイテム同士が重畳しているか否かに応じて、表示アイテムの表示が終了されてから所定時間内での表示アイテムの選択操作を受け付けるか否かを制御する制御工程と、を有し、
前記制御工程では、前記第２の表示アイテムが表示される場合、前記第１の表示アイテムに重畳して表示されていた前記第２の表示アイテムが消去されてから所定時間内は、前記第１の表示アイテムの選択操作を受け付けないように制御することを特徴とする表示制御方法。
【請求項１６】
表示装置への表示内容を制御する表示制御工程と、
表示されている表示アイテムへの操作を行う操作を受け付ける受け付け工程と、を有し、
前記表示制御工程では、前記表示装置に表示されている第１の表示アイテムの操作を受け付けている間は、前記第１の表示アイテムに第２の表示アイテムを重畳表示しないように制御することを特徴とする表示制御方法。
【請求項１７】
表示装置への表示内容を制御する表示制御工程と、
表示されている表示アイテムへの操作を行う操作を受け付ける受け付け工程と、を有し、
前記表示制御工程では、前記表示装置に表示されている表示アイテムの操作を受け付けている間は、前記表示アイテムを消去しないように制御することを特徴とする表示制御方法。
【請求項１８】
前記表示装置にはタッチパネルが設けられており、
前記表示アイテムの操作を受け付けている間とは、前記タッチパネルへのタッチダウンからタッチアップまでであることを特徴とする請求項１６または１７に記載の表示制御方法。
【請求項１９】
コンピュータを、請求項１ないし１３のいずれか１項に記載された表示制御装置の各手段として機能させるためのプログラム。
【請求項２０】
コンピュータを、請求項１ないし１３のいずれか１項に記載された表示制御装置の各手段として機能させるためのプログラムを記憶した記憶媒体。
【手続補正２】
【補正対象書類名】明細書
【補正対象項目名】００１６
【補正方法】変更
【補正の内容】
【００１６】
上記課題を解決し、目的を達成するために、本発明の表示制御装置は、第１の表示アイテムに重畳して第２の表示アイテムを表示部に表示させる表示制御手段と、前記表示部に表示されている表示アイテムを選択する選択手段と、表示アイテム同士が重畳しているか否かに応じて、表示アイテムの表示が開始されてから所定時間内での表示アイテムの選択操作を受け付けるか否かを制御する制御手段と、を有し、制御手段は、第２の表示アイテムが表示される場合、第２の表示アイテムの表示が開始されてから所定時間内は、第２の表示アイテムの選択操作を受け付けないように制御する。